(57)【要約】      （修正有）【課題】ピンと溝との嵌合により回路板と放熱フィン台との接触面積が増加され、発光ダイオードの寿命および発光効率を増加できるマイクロナノクラスの金属と黒鉛付きＬＥＤ照明装置用ラジエータを提供する。【解決手段】熱伝導層１１と、絶縁層１２と、回路板１３と、を順次に結合して構成され、回路板に少なくとも一つのＬＥＤ１３１が取付けられ、熱伝導層には、突出するピン１１１が複数設けられるＬＥＤプレートと、複数の放熱フィン２１と、その中央に設けられる接合面２２と、を有し、接合面２２には、ＬＥＤプレートにある複数の突出するピン１１１にそれぞれ対応する溝が複数設けられる放熱フィン台と、を含み、ピンと溝との嵌合により、ＬＥＤプレートが放熱フィン台に結合され、そうすると、ＬＥＤプレートと放熱フィン台との接触面積が増加し、熱がＬＥＤプレートから放熱フィン台へ快速に熱伝導して大気に放熱可能である。【選択図】図３
0003163714.tif 000002
【実用新案登録請求の範囲】
【請求項１】
熱伝導層と、絶縁層と、回路板と、を順次に結合して構成され、前記回路板に少なくとも一つのＬＥＤが取付けられ、前記熱伝導層には、突出するピンが複数設けられるＬＥＤプレートと、
複数の放熱フィンと、その中央に設けられる接合面と、を有し、前記接合面には、前記ＬＥＤプレートにある複数の突出するピンにそれぞれ対応する溝が複数設けられる放熱フィン台と、
を含み、
前記ピンと前記溝との嵌合により、前記ＬＥＤプレートが前記放熱フィン台に結合され、そうすると、前記ＬＥＤプレートと前記放熱フィン台との接触面積が増加し、熱が前記ＬＥＤプレートから前記放熱フィン台へ快速に熱伝導して大気に放熱可能であることを特徴とするマイクロナノクラスの金属と黒鉛付きＬＥＤ照明装置用ラジエータ。
【請求項２】
前記ＬＥＤプレートの熱伝導層と前記放熱フィン台の前記接合面との間には、平面の接合箇所と、前記ピンと前記溝との嵌合箇所とに、熱伝導ペーストが設けられることを特徴とする、請求項１に記載のマイクロナノクラスの金属と黒鉛付きＬＥＤ照明装置用ラジエータ。
【請求項３】
前記放熱フィン台と前記熱伝導層とは、黒鉛粉末と樹脂乳剤とマイクロナノクラスの金属粉末とを混合して射出成形されたものであることを特徴とする、請求項１に記載のマイクロナノクラスの金属と黒鉛付きＬＥＤ照明装置用ラジエータ。
【考案の詳細な説明】
【技術分野】
【０００１】
本考案は、ＬＥＤ照明装置用ラジエータに関し、特に、ピンと溝との嵌合により熱伝導の接触面積を増加するマイクロナノクラスの金属と黒鉛付きＬＥＤ照明装置用ラジエータに関するものである。
【背景技術】
【０００２】
発光ダイオード（ＬＥＤ）は、電力の消費が少なく、体積が小さく、寿命が長いため、家電製品の指示ランプ、液晶ディスプレイのバックライト、図面および文字を表示するディスプレイや自動車の第３ブレーキライトなどに適用される。近年、リン化アルミカリウムインジウム（ＡｌＧａＩｎＰ）及び窒化アルミカリウムインジウム（ＡｌＧａＩｎＮ）などの発光ダイオードが成功に開発されたため、多くの分野では、発光ダイオードが従来の電灯をどんどん取り代る。
【０００３】
しかしながら、高効率の発光ダイオードは、入力パワーの１５〜２０％だけが光に変換され、入力パワーの８０〜８５％が熱に変換され、この熱を外部に有効に放熱できないと、発光ダイオードの粒界の温度が高すぎになり、発光ダイオードの寿命および発光効率に悪影響が与えられる。
【０００４】
発光ダイオードの寿命および発光効率を向上するために、熱を有効に放熱できる発光ダイオード用放熱モジュールの設計は極めて重要である。
【０００５】
図５を参照する。図５は従来のＬＥＤ放熱モジュールを示す分解斜視図である。図５に示すように、ＬＥＤ５０を有する回路板５１が放熱フィン台５２に結合され、これにより、放熱フィン台５２によりＬＥＤ５０からの熱を放熱可能である。しかし、回路板５１と放熱フィン台５２との接触面積が小さいため、放熱フィン台５２によりＬＥＤ５０からの熱を快速に放熱することができない。  
【考案の概要】
【考案が解決しようとする課題】
【０００６】
本考案の主な目的は、ピンと溝との嵌合により回路板と放熱フィン台との接触面積が増加され、放熱フィン台によりＬＥＤからの熱を快速に放熱でき、そして発光ダイオードの粒界の温度が高すぎにならず、発光ダイオードの寿命および発光効率を増加できるマイクロナノクラスの金属と黒鉛付きＬＥＤ照明装置用ラジエータを提供することにある。
【課題を解決するための手段】
【０００７】
本考案のマイクロナノクラスの金属と黒鉛付きＬＥＤ照明装置用ラジエータによると、熱伝導層と、絶縁層と、回路板と、を順次に結合して構成され、前記回路板に少なくとも一つのＬＥＤが取付けられ、前記熱伝導層には、突出するピンが複数設けられるＬＥＤプレートと、
複数の放熱フィンと、その中央に設けられる接合面と、を有し、前記接合面には、前記ＬＥＤプレートにある複数の突出するピンにそれぞれ対応する溝が複数設けられる放熱フィン台と、
を含み、
前記ピンと前記溝との嵌合により、前記ＬＥＤプレートが前記放熱フィン台に結合され、そうすると、前記ＬＥＤプレートと前記放熱フィン台との接触面積が増加し、熱が前記ＬＥＤプレートから前記放熱フィン台へ快速に熱伝導して大気に放熱可能であることを特徴とする。
【０００８】
本考案のマイクロナノクラスの金属と黒鉛付きＬＥＤ照明装置用ラジエータによると、前記ＬＥＤプレートの熱伝導層と前記放熱フィン台の前記接合面との間には、平面の接合箇所と、前記ピンと前記溝との嵌合箇所とに、熱伝導ペーストが設けられることを特徴とする。
【０００９】
本考案のマイクロナノクラスの金属と黒鉛付きＬＥＤ照明装置用ラジエータによると、前記放熱フィン台と前記熱伝導層とは、黒鉛粉末と樹脂乳剤とマイクロナノクラスの金属粉末とを混合して射出成形されたものであることを特徴とする。
【考案の効果】
【００１０】
本考案のマイクロナノクラスの金属と黒鉛付きＬＥＤ照明装置用ラジエータによれば、ピンと溝との嵌合により回路板と放熱フィン台との接触面積が増加され、放熱フィン台によりＬＥＤからの熱を快速に放熱でき、そして発光ダイオードの粒界の温度が高すぎにならず、発光ダイオードの寿命および発光効率を増加できるという効果を有する。
【図面の簡単な説明】
【００１１】
【図１】本考案の実施例の分解斜視図である。
【図２】本考案の実施例のＬＥＤプレートの断面図である。
【図３】本考案の実施例のＬＥＤプレートと放熱フィン台との結合を示す断面図である。
【図４】本考案の実施例の組合済み状態の斜視図である。
【図５】従来のＬＥＤ放熱モジュールを示す分解斜視図である。
【考案を実施するための形態】
【００１２】
以下、本考案の実施の形態を図面に基づいて説明する。
まず、図１及び図４を参照する。本考案のマイクロナノクラスの金属と黒鉛付きＬＥＤ照明装置用ラジエータは、ＬＥＤプレート１０と、放熱フィン台２０と、を含む。
【００１３】
ＬＥＤプレート１０は、熱伝導層１１と、絶縁層１２と、回路板１３と、を順次に結合して構成される。回路板１３に少なくとも一つのＬＥＤ１３１が取付けられる。熱伝導層１１には、突出するピン１１１が複数設けられる。
【００１４】
放熱フィン台２０は、複数の放熱フィン２１と、その中央に設けられる接合面２２と、を有する。接合面２２には、ＬＥＤプレート１０にある複数の突出するピン１１１にそれぞれ対応する溝２２１が複数設けられる。ピン１１１と溝２２１との嵌合により、ＬＥＤプレート１０が放熱フィン台２０に結合される。そうすると、ＬＥＤプレート１０と放熱フィン台２０との接触面積が増加し、熱がＬＥＤプレート１０から放熱フィン台２０へ快速に熱伝導して大気に放熱可能である。
【００１５】
絶縁層１２により、通電後の回路板１３の電流の熱伝導層１１への流入を防止することができ、すなわち、回路板１３と熱伝導層１１との短絡を防止できる。熱伝導層１１は、金属を採用してもいいし、黒鉛を採用してもよい。
【００１６】
ＬＥＤプレート１０の熱伝導層１１と放熱フィン台２０の接合面２２との間には、平面の接合箇所と、ピン１１１と溝２２１との嵌合箇所とに、熱伝導ペースト３０が設けられる。
【００１７】
放熱フィン台２０と熱伝導層１１とは、黒鉛粉末と樹脂乳剤とマイクロナノクラスの金属粉末とを混合して射出成形されたものである。なお、黒鉛粉末：樹脂乳剤：マイクロナノクラスの金属粉末の重量％は、８６〜９４％：３〜７％：３〜７％である。
【００１８】
樹脂乳剤は、ポリ酢酸ビニル、又はアクリル樹脂である。
【００１９】
マイクロナノクラスの金属粉末は酸化アルミニウム（Ａｌ２Ｏ３）である。
【００２０】
本考案のマイクロナノクラスの金属と黒鉛付きＬＥＤ照明装置用ラジエータには、笠４０を配してもよい。これにより、全体の見栄えが良くなる。
【産業上の利用可能性】
【００２１】
本考案は、ＬＥＤ照明装置に適用することができる。
【符号の説明】
【００２２】
１０：ＬＥＤプレート
１１：熱伝導層
１２：絶縁層
１３：回路板
２０：放熱フィン台
２１：放熱フィン
２２：接合面
３０：熱伝導ペースト
４０：笠
５０：ＬＥＤ
５１：回路板
５２：放熱フィン台
１１１：ピン
１３１：ＬＥＤ
２２１：溝
【図１】
0003163714.tif 000003
【図２】
0003163714.tif 000004
【図３】
0003163714.tif 000005
【図４】
0003163714.tif 000006
【図５】
0003163714.tif 000007